(57)【要約】【課題】三次元造形装置とは別異の容器を用いることなく粉末材料を乾燥状態で保管することができるようにして、コスト低減を図るとともに作業者の負担を軽減する。【解決手段】上方に位置する開口部から粉末材料を供給される供給槽と、供給槽の開口部と嵌合して供給槽の内部を外気と遮断された密閉状態に維持する蓋体と、供給槽から供給される粉末材料を充填されて三次元造形物が作製される上部が開放した造形槽と、供給槽から造形槽に供給された粉末材料のうちで造形槽に充填しきれなかった粉末材料ならびに造形槽において造形に用いられなかった粉末材料を回収する上部が開放した排出槽と、造形槽に供給された粉末材料に対して粉末材料を硬化するバインダーを吐出する吐出ヘッドとを有し、排出槽へ排出されて溜められている粉末材料と造形槽に残された粉末材料を供給槽内に移し替えて回収した後に、蓋体を供給槽の開口部に嵌合して粉末材料を保管する。【選択図】        図３
2020199677.tif 000002
【特許請求の範囲】
【請求項１】
粉末材料を原料として三次元造形物を造形する三次元造形装置において、
上方に位置する開口部から粉末材料を供給される供給槽と、
前記供給槽の前記開口部と嵌合して、前記供給槽の内部を外気と遮断された密閉状態に維持する蓋体と、
前記供給槽から供給される前記粉末材料を充填されて三次元造形物が作製される上部が開放した造形槽と、
前記供給槽から前記造形槽に供給された前記粉末材料のうちで前記造形槽に充填しきれなかった前記粉末材料ならびに前記造形槽において造形に用いられなかった前記粉末材料を回収する上部が開放した排出槽と、
前記造形槽に供給された前記粉末材料に対して前記粉末材料を硬化するバインダーを吐出する吐出ヘッドと
を有し、
前記排出槽へ排出されて溜められている前記粉末材料と前記造形槽に残された前記粉末材料を前記供給槽内に移し替えて回収した後に、前記蓋体を前記供給槽の前記開口部に嵌合して前記粉末材料を保管する
ことを特徴とする三次元造形装置。
【請求項２】
請求項１に記載の三次元造形装置において、さらに、
前記供給槽の内部の湿度を調節する湿度調節手段と
を有することを特徴とする三次元造形装置。
【請求項３】
請求項２に記載の三次元造形装置において、
前記湿度調整手段は、前記供給槽の内部に配設した乾燥剤である
ことを特徴とする三次元造形装置。
【請求項４】
請求項２に記載の三次元造形装置において、
前記湿度調整手段は、配管により前記供給槽と接続された湿度調整機能と温度調節機能とを備えた空調設備である
ことを特徴とする三次元造形装置。
【請求項５】
請求項２に記載の三次元造形装置において、
前記湿度調整手段は、湿度調整機能と温度調節機能とを備えるとともに、前記蓋体に配設された空調装置である
ことを特徴とする三次元造形装置。
【請求項６】
請求項１、２、３、４または５のいずれか１項に記載の三次元造形装置において、さらに、
前記供給槽の温度ならびに湿度を計測する温湿度計と
を有することを特徴とする三次元造形装置。
【請求項７】
請求項１、２、３、４、５または６のいずれか１項に記載の三次元造形装置において、
前記蓋体は、少なくとも一部領域が透明である
ことを特徴とする三次元造形装置。
【発明の詳細な説明】
【技術分野】
【０００１】
本発明は、三次元造形装置に関する。さらに詳細には、本発明は、粉末材料を原料として三次元造形物を造形する三次元造形装置に関する。
【背景技術】
【０００２】
従来より、粉末材料を原料として三次元造形物を造形する手法として、粉末固着積層方式が知られている。
【０００３】
従来、こうした粉末固着積層方式による三次元造形装置は、上部が開放した粉末材料を貯留する供給槽と、供給槽から粉末材料を供給されて三次元造形物を造形する上部が開放した造形槽と、供給槽から造形槽に供給された粉末材料のうちで造形槽に充填しきれなかった粉末材料や造形槽において造形に用いられなかった粉末材料を回収する上部が開放した排出槽と、造形槽に供給された粉末材料に対して当該粉末材料を硬化するバインダーを吐出する単数または複数の吐出ヘッドとを有して構成されている。
【０００４】
こうした粉末固着積層方式による三次元造形装置において所望の三次元造形物を造形する際には、まず、供給槽から造形槽に粉末材料を供給して敷き詰め、造形槽に所定の厚さの粉末材料よりなる粉末材料層を形成する。
【０００５】
次に、この造形槽に形成された粉末材料層に対して、予め作成した所望の三次元造形物の断面形状の断面画像データに基づいて、単数または複数の吐出ヘッドから粉末材料を硬化するバインダーを吐出して、粉末材料層に当該断面画像データに基づく断面形状を形成する。
【０００６】
その後、断面形状が形成された粉末材料層上に所定の厚さの新たな粉末材料層を形成し、この粉末材料層に、形成した断面形状の次の断面形状を表す画像データに基づいて、吐出ヘッドからバインダーを吐出し、当該新たな粉末材料層に当該画像データに基づく断面形状を形成する。
【０００７】
そして、上記した処理を繰り返し行い、全ての断面画像データに基づく断面形状を順次形成することで、所望の三次元造形物を造形する。
【０００８】
ここで、供給槽から造形槽に供給された粉末材料のうちで造形槽に充填しきれなかった粉末材料や造形槽において造形に用いられなかった粉末材料は、排出槽へ移動されて当該排出槽内に落下することにより排出され、当該排出槽内に回収される。
【０００９】
上記したような粉末固着積層方式による三次元造形装置としては、各種のタイプのものが知られており、例えば、特許第５４０００４２号公報、特開２０１４−１０４７３７号公報、特開２０１６−２０３４０６号公報、特開２０１７−１１９３６３号公報あるいは特開２０１８−３０２３９号公報などに開示されている。
【００１０】
ところで、粉末材料は大気から湿気を吸湿していくと造形の際の強度が低下したり仕上がり具合が劣化してくるため、排出槽へ排出されて溜められている粉末材料は乾燥した状態で保管することが望ましい。
【００１１】
このため、従来の粉末固着積層方式による三次元造形装置においては、排出槽へ排出されて溜められている粉末材料を乾燥状態で再利用可能とするために、スコップなどを用いた作業者の手作業などにより排出槽から三次元造形装置とは別異の容器へ移し替えて回収し、当該容器内において粉末材料を乾燥状態で保管するようにしていた。
【００１２】
そして、従来の粉末固着積層方式による三次元造形装置により造形作業を行う際には、上記した三次元造形装置とは別異の容器内において乾燥状態で保管しておいた粉末材料をスコップなどを用いた作業者の手作業などにより供給槽へ移し替えて貯留し、所望の三次元造形物を造形する造形作業を行うようにしていた。
【００１３】
即ち、従来の粉末固着積層方式による三次元造形装置によれば、排出槽に回収されて溜められている粉末材料を乾燥状態で再利用可能とするために、三次元造形装置とは別異の容器が必要となるため、当該容器を作製するためのコスト高を招来するとともに、三次元造形作業に関連して作業者が管理する管理品目や作業者が行う手作業が増えるため、作業者の負担が増加するという問題点があった。
【先行技術文献】
【特許文献】
【００１４】
【特許文献１】特許第５４０００４２号公報
【特許文献２】特開２０１４−１０４７３７号公報
【特許文献３】特開２０１６−２０３４０６号公報
【特許文献４】特開２０１７−１１９３６３号公報
【特許文献５】特開２０１８−３０２３９号公報
【発明の概要】
【発明が解決しようとする課題】
【００１５】
本発明は、従来の技術の有する上記したような種々の問題点に鑑みてなされたものであり、その目的とするところは、三次元造形装置とは別異の容器を用いることなく粉末材料を乾燥状態で保管することができるようにして、コスト低減を図ることができるようにするとともに作業者の負担を軽減することができるようにした三次元造形装置を提供しようとするものである。
【課題を解決するための手段】
【００１６】
上記した目的を達成するために、本発明による三次元造形装置は、上部が開放された粉末材料を貯留する供給槽の開口部と嵌合し、当該供給槽の内部を外気と遮断した密閉状態に維持する蓋体を設けるようにして、排出槽へ排出されて溜められている粉末材料を供給槽内に移し替えて回収した後に、蓋体を供給槽の開口部に嵌合して粉末材料を保管するようにしたものである。
【００１７】
従って、本発明による三次元造形装置によれば、排出槽へ排出されて溜められている粉末材料を供給槽内に移し替えて回収した後に、供給槽内において粉末材料を外気と遮断された密閉状態において貯留できるので、供給槽内の粉末材料が大気から湿気を吸湿することなく乾燥した状態で保管することができる。
【００１８】
このように本発明による三次元造形装置においては、当該三次元造形装置とは別異の容器を用いることなく粉末材料を乾燥状態で保管することが可能となり、コスト低減を図ることができるとともに作業者の負担を軽減することができる。
【００１９】
また、上記した目的を達成するために、本発明による三次元造形装置は、さらに、供給槽の内部の湿度を調節して、当該供給槽に貯留されている粉末材料を所望の乾燥状態に維持する湿度調節手段を備えるようにしたものである。
【００２０】
従って、本発明による三次元造形装置によれば、供給槽に貯留されている粉末材料が所望の乾燥状態に維持されるので、造形の際の強度低下や仕上がり具合の劣化を一層防止することができる。
【００２１】
即ち、本発明は、粉末材料を原料として三次元造形物を造形する三次元造形装置において、上方に位置する開口部から粉末材料を供給される供給槽と、上記供給槽の上記開口部と嵌合して、上記供給槽の内部を外気と遮断された密閉状態に維持する蓋体と、上記供給槽から供給される上記粉末材料を充填されて三次元造形物が作製される上部が開放した造形槽と、上記供給槽から上記造形槽に供給された上記粉末材料のうちで上記造形槽に充填しきれなかった上記粉末材料ならびに上記造形槽において造形に用いられなかった上記粉末材料を回収する上部が開放した排出槽と、上記造形槽に供給された上記粉末材料に対して上記粉末材料を硬化するバインダーを吐出する吐出ヘッドとを有し、上記排出槽へ排出されて溜められている上記粉末材料と上記造形槽に残された上記粉末材料を上記供給槽内に移し替えて回収した後に、上記蓋体を上記供給槽の上記開口部に嵌合して上記粉末材料を保管するようにしたものである。
【００２２】
また、本発明は、上記した本発明において、さらに、上記供給槽の内部の湿度を調節する湿度調節手段とを有するようにしたものである。
【００２３】
また、本発明は、上記した本発明において、上記湿度調整手段は、上記供給槽の内部に配設した乾燥剤であるようにしたものである。
【００２４】
また、本発明は、上記した本発明において、上記湿度調整手段は、配管により上記供給槽と接続された湿度調整機能と温度調節機能とを備えた空調設備であるようにしたものである。
【００２５】
また、本発明は、上記した本発明において、上記湿度調整手段は、湿度調整機能と温度調節機能とを備えるとともに、上記蓋体に配設された空調装置であるようにしたものである。
【００２６】
また、本発明は、上記した本発明において、さらに、上記供給槽の温度ならびに湿度を計測する温湿度計とを有するようにしたものである。
【００２７】
また、本発明は、上記した本発明において、上記蓋体は、少なくとも一部領域が透明であるようにしたものである。
【発明の効果】
【００２８】
本発明は、以上説明したように構成されているので、三次元造形装置とは別異の容器を用いることなく粉末材料を乾燥状態で保管することが可能となり、コスト低減を図ることができるようになるとともに作業者の負担を軽減することができるようになるという優れた効果を奏するものである。
【図面の簡単な説明】
【００２９】
【図１】図１は、本発明の実施の形態の一例による三次元造形装置の構成を模式的に示す概略構成斜視説明図である。なお、図１においては、供給槽の開口部に蓋体を取り付けた状態を示している。
【図２】図２は、図１に示す三次元造形装置のＡ矢視における内部構造を模式的に示す説明図である。なお、図２においては、供給槽の開口部から蓋体を取り除いた状態を示している。
【図３】図３は、図１に示す三次元造形装置のＡ矢視における供給槽の構成を模式的に示す概略構成説明図である。なお、図３は、供給槽の構成の一部を破断して内部構造の一部を示している。
【図４】図４（ａ）（ｂ）（ｃ）（ｄ）は、図１に示す三次元造形装置における動作を模式的に示す説明図である。
【図５】図５は、供給槽の他の構成を模式的に示す概略構成説明図である。
【図６】図６は、供給槽の他の構成を模式的に示す概略構成説明図である。
【図７】図７は、供給槽の他の構成を模式的に示す概略構成説明図である。
【発明を実施するための形態】
【００３０】
以下、添付の図面を参照しながら、本発明による三次元造形装置の実施の形態の一例を詳細に説明することとする。
【００３１】
（Ｉ）本発明による三次元造形装置の構成の説明
図１には、本発明の実施の形態の一例による三次元造形装置の構成を模式的に示す概略構成斜視説明図があらわされている。なお、図１においては、供給槽の開口部に蓋体を取り付けた状態を示している。
【００３２】
また、図２には、図１に示す三次元造形装置のＡ矢視における内部構造を模式的に示す説明図があらわされている。なお、図２においては、供給槽の開口部から蓋体を取り除いた状態を示している。
【００３３】
三次元造形装置１０は、その全体の動作をマイクロコンピューター２００により制御されるものであり、マイクロコンピューター２００を内蔵した筐体１２の内部に、上方端部に位置する開口部１４ａにおいて蓋体１００を嵌合可能であるとともに開口部１４ａから内部に粉末材料を供給されて貯留する供給槽１４と、供給槽１４から供給される粉末材料を充填されて三次元造形物が作製される上部が開放した造形槽１６と、供給槽１４から造形槽１６に供給された粉末材料のうちで造形槽１４に充填しきれなかった粉末材料や造形槽１６において造形に用いられなかった粉末材料を回収する上部が開放した排出槽１８とがそれぞれ形成されている。
【００３４】
より詳細には、供給槽１４と造形槽１６と排出槽１８とは、ＸＹＺ直交座標系におけるＹ軸方向に沿って並設されており、前方側から後方側に向かって、供給槽１４、造形槽１６、排出槽１８の順で並んで配設されている。
【００３５】
供給槽１４は、内部に昇降板２０が配設されており、この昇降板２０は、モーター（図示せず。）により供給槽１４内部を昇降可能な構成となっている。
【００３６】
そして、供給槽１４では、内部に粉末材料が貯留された状態で、昇降板２０が上昇することにより、貯留された粉末材料を上昇させ、これにより、上方の開口部１４ａから所定量の粉末材料を上昇させることとなる。なお、こうして開口部１４ａから上昇した所定量の粉末材料は、キャリッジ２２がＹ軸方向を前方側から後方側に移動することにより、キャリッジ２２の後方側に設けられたローラー２４によって前方側から後方側に押し進められ、供給槽１４の後方側に位置する造形槽１６に供給されることとなる。
【００３７】
即ち、供給槽１４においては、マイクロコンピューター２００により、粉末材料を供給槽１４内に貯留する際には昇降板２０が下降するように制御され、粉末材料を造形槽１６に供給するときには昇降板２０が上昇するように制御される。
【００３８】
造形槽１６は、内部に昇降板２６が配設されており、この昇降板２６は、モーター（図示せず。）により造形槽１６内部を昇降可能な構成となっている。
【００３９】
そして、造形槽１６においては、上方の開口部１６ａと同じ高さ位置たる初期位置に位置する昇降板２６を下降することにより、造形槽１６内に所定量の粉末材料を充填可能な空間が形成される。
【００４０】
こうして形成された空間には、ローラー２４により前方側から後方側に押し進められた所定量の粉末材料が充填されることとなり、これにより、造形槽１６に供給槽１４から粉末材料が供給されることとなる。
【００４１】
排出槽１８は、内部に昇降板３２が配設されており、この昇降板３２は、モーター（図示せず。）により排出槽１８内部を昇降可能な構成となっている。
【００４２】
そして、排出槽１８においては、上方の開口部１８ａと同じ高さ位置たる初期位置に位置する昇降板３２を徐々に下降することにより、排出槽１８内に粉末材料を収容可能な空間が徐々に拡大するように形成される。
【００４３】
こうして形成された空間には、供給槽１４から造形槽１６に供給された粉末材料のうちで造形槽１４に充填しきれなかった粉末材料や造形槽１６において造形に用いられなかった粉末材料が排出されて回収されることとなる。
【００４４】
即ち、ローラー２４により前方側から後方側に押し進められた所定量の粉末材料のうち、造形槽１６に充填できなかった粉末材料や造形槽１６において造形に用いられなかった粉末材料が、開口部１８ａから排出槽１８に落下して収容されることとなる。
【００４５】
ここで、粉末材料が開口部１８ａから排出槽１８に落下して収容される際に、粉末材料による大量の粉塵が発生する。三次元造形装置１０においては、こうした大量の粉塵の発生を抑制するため、排出槽１８に収容されている粉末材料の排出量に応じて昇降板３２を徐々に下降するようにして、粉末材料が開口部１８ａから落下する落下距離が短くなるように調整している。
【００４６】
また、三次元造形装置１０は、筐体１２の上面部１２ａにおいて、Ｙ軸方向に沿って延長して配設されたガイド部材２８を備えている。
【００４７】
このガイド部材２８上に、当該ガイド部材２８に沿ってＹ軸方向にモーター（図示せず。）により移動自在にキャリッジ２２が配設されている。
【００４８】
そして、キャリッジ２２には、当該キャリッジ２２に対して固定的に単数または複数の吐出ヘッド１０２が配設されている。吐出ヘッド１０２には、バインダーを貯留したカートリッジ３０からバインダーが供給される。
【００４９】
なお、本実施の形態においては、３個の吐出ヘッド１０２が配設された場合を図示している。
【００５０】
より詳細には、吐出ヘッド１０２は、吐出ヘッドマウントプレート１０４に固定されて装着されている。吐出ヘッド１０２と吐出ヘッドマウントプレート１０４とは、なるべく緊密に密着させるように精度よく配置される。
【００５１】
符号１０６は、吐出ヘッド１０２と吐出ヘッドマウントプレート１０４とを被覆する箱状のカバーである。
【００５２】
カバー１０６の前方側の側面１０６ａ、即ち、排出槽１８の側とは反対側の側面１０６ａには、Ｘ軸方向に軸方向が延長して配置された半円筒形状の粉末材料回収部３４が設けられている。
【００５３】
なお、ローラー２４は、キャリッジ２２における吐出ヘッド１０２の後方側の位置に配設されている。
【００５４】
（ＩＩ）本発明による三次元造形装置における供給槽の詳細な構成の説明
次に、図３には、図１に示す三次元造形装置のＡ矢視における供給槽の構成を模式的に示す概略構成説明図があらわされている。なお、図３は、供給槽の構成の一部を破断して内部構造の一部を示している。
【００５５】
供給槽１４は、開口部１４ａに透明材料よりなる蓋体１００が嵌合可能に形成されている。蓋体１００は、開口部１４ａと緊密に嵌合するように、開口部１４ａと当接する領域にシール部材１０８を配設している。
【００５６】
蓋体１００を開口部１４ａに嵌合することにより、供給槽１４の内部は外気と遮断された密閉状態に維持される。
【００５７】
ここで、蓋体１００は、例えば、透明アクリル板などにより形成され、また、シール部材１０８は、例えば、シリコンゴムなどにより形成される。
【００５８】
なお、蓋体１００を透明アクリル板などの透明材料により形成すると、供給槽１４内部に貯留されている粉末材料３００の状態を容易に視認することができる。
【００５９】
供給槽１４は、蓋体１００と係合して、開口部１４ａに蓋体１００を強固に密着固定するための締結手段として、側壁面の上部にクランプ１１０を備えている。
【００６０】
また、供給槽１４は、供給槽１４の開口部１４ａに蓋体１００が存在するか否かを検出するための検出手段としてセンサー１１２を備えている。
【００６１】
（ＩＩＩ）本発明による三次元造形装置における動作およびその制御方法の説明
以上の構成において、三次元造形装置１０は、その全体的な動作をマイクロコンピューター２００により制御されるものであるが、三次元造形物を造形する際の動作については上記において引用した特許文献などに開示された従来の技術を用いればよいので、その詳細な説明は省略するものとして、以下においては、本発明の実施に関連する事項についてのみ説明する。
【００６２】
ここで、図４（ａ）（ｂ）（ｃ）（ｄ）には三次元造形装置１０における動作を模式的に示す説明図があらわされおり、これら図４（ａ）（ｂ）（ｃ）（ｄ）を参照しながら本発明の実施に関連する三次元造形装置１０の動作について説明する。
【００６３】
三次元造形装置１０においては、例えば、三次元造形物の造形を完了したときなどの適時のタイミングにおいて、排出槽１８に回収されている粉末材料を供給槽１４へ移動して貯留する。
【００６４】
即ち、図４（ａ）に示すように、供給槽１４の昇降板２０を下方へ移動するとともに、キャリッジ２２を三次元造形装置１０の後端部側に移動した後に、造形槽１６の昇降板２６および排出槽１８の昇降板３２を上方に移動して、造形槽１６に残留している粉末材料３００および排出槽１８内に収容されている粉末材料３００を三次元造形装置１０の上方側へ突出させる。
【００６５】
図４（ｂ）に示すように、三次元造形装置１０の前端部側にキャリッジ２２を移動することにより、三次元造形装置１０の上方側に突出した粉末材料３００が粉末材料回収部３４によって供給槽１４の開口部１４ａまで移動され、開口部１４ａまで移動された粉末材料は開口部１４ａから供給槽１４内に落下して回収される。
【００６６】
上記において図４（ａ）（ｂ）を参照しながら説明した動作を繰り返すことにより、図４（ｃ）に示すように、造形槽１６に残留している粉末材料３００および排出槽１８内に収容されている粉末材料３００を供給槽１４に回収して貯留する。
【００６７】
その後に、図４（ｄ）に示すように、供給槽１４の開口部１４ａに蓋体１００を係合して、クランプ１１０（図４（ｄ）においては図示を省略した。）により供給槽１４の開口部１４ａに蓋体１００とを緊密に固定する。
【００６８】
この際に、センサー１１２（図４（ｄ）においては図示を省略した。）は、供給槽１４の開口部１４ａに蓋体１００が存在することを検知して、その検知信号（存在検知信号）をマイクロコンピューター２００に出力する。
【００６９】
マイクロコンピューター２００は、存在検知信号を受信すると、三次元造形装置１０がキャリッジ２２の移動を含む三次元造形動作を行うことができない状態となるように制御する。
【００７０】
なお、三次元造形装置１０においては、センサー１１２が供給槽１４の開口部１４ａに蓋体１００が存在しないことを検知して、その検知信号（不存在検知信号）をマイクロコンピューター２００に出力する。
【００７１】
マイクロコンピューター２００は、不存在検知信号を受信すると、三次元造形装置１０がキャリッジ２２の移動を含む三次元造形動作を行うことが可能な状態となるように制御する。
【００７２】
（ＶＩ）供給槽１４の作用効果
以上において説明したように、三次元造形装置１０によれば、排出槽１８へ排出されて溜められている粉末材料を供給槽１４内に移し替えて回収した後に、蓋体１００により供給槽１４内において粉末材料を外気と遮断された密閉状態において貯留できるので、供給槽１４内の粉末材料が大気から湿気を吸湿することなく乾燥した状態で保管することができる。
【００７３】
（Ｖ）他の実施の形態および変形例の説明
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００７４】
例えば、上記した実施の形態は、以下の（１）乃至（６）に示すように変形するようにしてもよい。
【００７５】
（１）上記した実施の形態に加えて、さらに、供給槽１４の内部の湿度を調節して、供給槽１４に貯留されている粉末材料を所望の乾燥状態に維持する湿度調節手段を備えるようにしてもよい。
【００７６】
図５には、供給槽１４の内部の湿度を調節する湿度調節手段として、供給槽１４内に乾燥剤１１４を配設した例を示している。
【００７７】
ここで、供給槽１４内の温度ならびに湿度を管理するために、供給槽１４内の温度ならびに湿度を計測する温湿度計１１６を配設するようにしてもよい。
【００７８】
このように、供給槽１４の内部の湿度を調整する湿度調節手段を設けることにより、供給槽１４に貯留されている粉末材料が所望の乾燥状態に維持されるので、造形の際の強度低下や仕上がり具合の劣化を一層防止することができる。
【００７９】
また、供給槽１４の内部の湿度を調節する湿度調節手段としては、図６に示すように、供給槽１４の外部に湿度調整機能（除湿機能）と温度調節機能とを備えたエアーコンディショナーのような空調設備１１８を設けるようにしてもよい。なお、供給槽１４の内部と空調設備１１８とは、配管１２０により接続されて連通している。
【００８０】
こうした空調設備１１８を設けることにより、供給槽１４内の湿度ならびに温度を所望の値に容易に調節することができる。
【００８１】
なお、従来より三次元造形に用いられている粉末材料は、湿度を３０％〜４０％、温度を３５℃以下に維持することが好ましいことが知られている。
【００８２】
さらに、図７に示すように、供給槽１４の内部の湿度を調節する湿度調節手段として、蓋体１００に湿度調整機能（除湿機能）と温度調節機能とを備えたエアーコンディショナーのような空調装置１２２を設けるようにしてもよい。
【００８３】
こうした空調装置１２２を設けることにより、供給槽１４内の湿度ならびに温度を所望の値に容易に調節することができるとともに、外部に空調設備１１８を設けるためのスペースを確保する必要がなく、全体の構成をコンパクト化することができる。
【００８４】
（２）上記した実施の形態においては、蓋体１００を透明材料により形成するようにしたが、これに限られるものではないことは勿論である。即ち、蓋体１００は、金属材料などにより形成してもよい。金属材料などの不透明な材料で蓋体１００を形成する場合には、蓋体１００の一部に透明材料で形成された窓部を設けるようにして、この窓部から供給槽１４内部に貯留されている粉末材料の状態を容易に視認することができるようにしてもよい。
【００８５】
（３）上記した実施の形態においては、締結手段としてクランプ１０６を用いる場合について説明したが、締結手段はクランプ１０６に限るものではないことは勿論である。即ち、締結手段としては、ラッチやネジなどの各種の締結手段を設計条件などに応じて適宜に用いるようにしてよい。
【００８６】
（４）上記した実施の形態においては、センサー１０８に関する詳細な説明は省略したが、センサー１０８としては、タッチセンサーや光センサーなどの従来より公知の種々のセンサーを設計条件などに応じて適宜に用いるようにしてよい。
【００８７】
（５）上記した実施の形態においては、図４（ａ）（ｂ）（ｃ）に示すように、キャリッジ２２などを移動させることによって、造形槽１６に残留している粉末材料３００および排出槽１８内に収容されている粉末材料３００を供給槽１４に回収して貯留するようにしたが、これに限られるものではないことは勿論である。例えば、作業者がスコップなどを用いて、排出槽１８に収容されている粉末材料３００を供給槽１４に移し替えるようにしてもよい。
【００８８】
（６）上記した実施の形態ならびに上記した（１）乃至（５）に示す各種の他の実施の形態や変形例は、適宜に組み合わせるようにしてもよいことは勿論である。
【産業上の利用可能性】
【００８９】
本発明は、粉末固着積層方式の三次元造形装置に用いて好適である。
【符号の説明】
【００９０】
１０      三次元造形装置
１２      筐体
１２ａ    上面部
１４      供給槽
１４ａ    開口部
１６      造形槽
１６ａ    開口部
１８      排出槽
１８ａ    開口部
２０      昇降板
２２      キャリッジ
２４      ローラー
２６      昇降板
２８      ガイド部材
３０      カートリッジ
３２      昇降板
３４      粉末材料回収部
１００      蓋体
１０２      吐出ヘッド
１０４      吐出ヘッドマウントプレート
１０６      カバー
１０６ａ    側面
１０８      シール部材
１１０      クランプ
１１２      センサー
１１４      乾燥剤
１１６      温湿度計
１１８      空調設備
１２０      配管
１２２      空調装置
２００      マイクロコンピューター
３００      粉末材料
【図１】
2020199677.tif 000003
【図２】
2020199677.tif 000004
【図３】
2020199677.tif 000005
【図４】
2020199677.tif 000006
【図５】
2020199677.tif 000007
【図６】
2020199677.tif 000008
【図７】
2020199677.tif 000009